(57)【要約】【課題】負圧作用時に横葺き外装材が持ち上げられても、水下・水上側に配する横葺き外装材の接続部分の取付強度が高く、負圧強度に優れている横葺き外装構造、その施工方法、及び横葺き外装材を提供する。【解決手段】本発明の横葺き外装構造は、面板部２の水下・水上側に相互に係合可能な水下側成形部３、水上側成形部４を有する横葺き外装材１を保持部材５を用いて敷設する横葺き外装構造において、前記横葺き外装材１は、水上側成形部４に、保持部材５に保持される被保持部４２の水下側に延出片４３を有し、水下側成形部３に、敷設状態において前記延出片４３の裏面側に位置する被押さえ片３２を有し、前記保持部材５は、前記被保持部４２を保持する保持部５１の水下側に、敷設状態において延出片４３上に臨む負圧抑制片５４を有し、負圧作用時に横葺き外装材１が持ち上げられると、保持部材５の負圧抑制片５４が延出片４３を介して被押さえ片３２を押さえることを特徴とする。【選択図】  図１
2004263392.tif 000002
【特許請求の範囲】
【請求項１】
面板部の水下・水上側に相互に係合可能な水下側成形部、水上側成形部を有する横葺き外装材を保持部材を用いて敷設する横葺き外装構造において、
前記横葺き外装材は、水上側成形部に、保持部材に保持される被保持部の水下側に延出片を有し、水下側成形部に、敷設状態において前記延出片の裏面側に位置する被押さえ片を有し、
前記保持部材は、前記被保持部を保持する保持部の水下側に、敷設状態において延出片上に臨む負圧抑制片を有し、
負圧作用時に保持部材の負圧抑制片が延出片を介して被押さえ片を押さえることを特徴とする横葺き外装構造。
【請求項２】
水上側成形部は、面板部を表面側に折曲し、その隅部又は折曲片に形成した被係合部と、折曲片の上端を折曲基部に向かって折り返した被保持部を有し、水下側成形部は、面板部を裏面側に折曲し、その折曲片の下端を水上側に延出させて前記被係合部と係合する係合部を有し、保持部材は、固定部と傾斜部と外装材を保持する保持部を有し、保持部材の保持部で水上側成形部の被保持部を保持すると共に、水上側成形部の被係合部に水下側成形部の係合部を係合させることを特徴とする請求項１に記載の横葺き外装構造。
【請求項３】
水上側成形部の延出片は断面が下方に突出する略円弧状であって、水下側成形部の被押さえ片は断面が上方に突出する略円弧状であることを特徴とする請求項１又は２に記載の横葺き外装構造。
【請求項４】
水上側成形部の延出片と、水下側成形部の被押さえ片とは、敷設状態において弾性的に当接していることを特徴とする請求項１〜３の何れか一項に記載の横葺き外装構造。
【請求項５】
面板部の水下・水上側に相互に係合可能な水下側成形部、水上側成形部を有する横葺き外装材を保持部材を用いて敷設する横葺き外装構造において、
前記横葺き外装材は、水上側成形部に、保持部材に保持される被保持部の水下側に延出片を有し、水下側成形部に、敷設状態において前記延出片の裏面側に位置する被押さえ片を有し、
前記保持部材は、前記被保持部を保持する保持部の水下側に、延出片上に臨む負圧抑制片を有し、
水下側に配置された横葺き外装材の水上側成形部の被保持部を保持部材の保持部で保持すると共に延出片上に負圧抑制片を臨ませた後、その水上側に配置される横葺き外装材の水下側成形部の被押さえ片を、水下側に配置された横葺き外装材の延出片の裏面側に位置させるように取り付けることを特徴とする横葺き外装構造の施工方法。
【請求項６】
面板部の水下・水上側に相互に係合可能な水下側成形部、水上側成形部を有し、保持部の水下側に負圧抑制片を有する保持部材を用いて敷設される横葺き外装材であって、
水上側成形部は、面板部を表面側に折曲し、その隅部又は折曲片に形成した被係合部と、折曲片の上端を折曲基部に向かって折り返した被保持部を有し、さらにその水下側には延出片を有し、水下側成形部は、面板部を裏面側に折曲し、その下端を水上側へ延出させて延出片の裏面側に位置する被押さえ片を有し、さらにその水上側には前記被係合部と係合する係合部を有し、
敷設状態において、延出片の裏面側に被押さえ片が位置するように組み合わせ、負圧作用時に保持部材の負圧抑制片が延出片を介して被押さえ片を押さえるように敷設可能であることを特徴とする横葺き外装材。
【発明の詳細な説明】
【０００１】
【発明の属する技術分野】
本発明は、負圧作用時に横葺き外装材が持ち上げられても、水下・水上側に配する横葺き外装材の接続部分の取付強度が高く、負圧強度に優れている横葺き外装構造、その施工方法、及び横葺き外装材に関する。
【０００２】
【従来の技術】
従来より数多くの横葺き外装材及び外装構造が提案、製品化されているが、特に風によって生じる負荷重に対する強度（負圧強度）の向上を目的とした提案もなされている（例えば特許文献１，２など）。
【０００３】
【特許文献１】
特許第３１７１５３８号公報（段落番号００１４，図７）
【特許文献２】
特開２０００−３２００７８公報（段落番号００１１、図３）
【０００４】
特許文献１は、水下側に位置する上馳部２と水上側に位置する下馳部３を有する主板１（横葺建築用板Ａ）を、下向き傾斜状に突出する前方突起片６ａ及び後方突起片６ｂを有する吊子Ｂで取り付ける構造であって、吊子Ｂの各突起片６ａ，６ｂは上馳部２の内面に常時当接しているので、負圧作用時に上馳部２の変形及び浮き上がりを防止する構成である。
特許文献２は、軒側成形部５ａと棟側成形部５ｂを有する横葺き外装材５を、係止片４ｅを有する保持部材４で取り付ける構造であって、保持部材４の係止片４ｅは負圧作用時に軒側成形部に形成される凹部内に接触することにより負圧作用時に軒側成形部５ａの浮き上がりを防止する構成である。
【０００５】
【発明が解決しようとする課題】
しかしながら、特許文献１も特許文献２も吊子（保持部材）に形成した突起片（係止片）が常時或いは負圧作用時に上馳部（軒側成形部）に当接する構成であるため、特許文献２では係止片の先端が負圧の作用で軒側成形部の裏面に繰り返し衝突（当接）することにより、亀裂や穿孔を生ずることがあった。また、特許文献１では、負圧作用時ばかりでなく常に突起片の先端が上馳部の裏面に当接しているため、振動等による摩耗も原因となって上馳部に損傷が生じ易い構造であった。そして、上馳部（軒側成形部）にそのような損傷が生じた場合には、漏水や連結不良を生ずる虞があった。
そこで、本発明は、負圧作用時に横葺き外装材が持ち上げられても、水下・水上側に配する横葺き外装材の接続部分の取付強度が高く、負圧強度に優れている横葺き外装構造を提案することを目的とする。
【０００６】
【課題を解決するための手段】
本発明は前記事情に鑑み提案されたもので、面板部の水下・水上側に相互に係合可能な水下側成形部、水上側成形部を有する横葺き外装材を保持部材を用いて敷設する横葺き外装構造において、前記横葺き外装材は、水上側成形部に、保持部材に保持される被保持部の水下側に延出片を有し、水下側成形部に、敷設状態において前記延出片の裏面側に位置する被押さえ片を有し、前記保持部材は、前記被保持部を保持する保持部の水下側に、敷設状態において延出片上に臨む負圧抑制片を有し、負圧作用時に横葺き外装材が持ち上げられると、保持部材の負圧抑制片が延出片を介して被押さえ片を押さえることを特徴とする横葺き外装構造に関するものである。
【０００７】
また、本発明は、横葺き外装構造の施工方法も提案するものであって、面板部の水下・水上側に相互に係合可能な水下側成形部、水上側成形部を有する横葺き外装材を保持部材を用いて敷設する横葺き外装構造において、
前記横葺き外装材は、水上側成形部に、保持部材に保持される被保持部の水下側に延出片を有し、水下側成形部に、敷設状態において前記延出片の裏面側に位置する被押さえ片を有し、前記保持部材は、前記被保持部を保持する保持部の水下側に、延出片上に臨む負圧抑制片を有し、水下側に配置された横葺き外装材の水上側成形部の被保持部を保持部材の保持部で保持すると共に延出片上に負圧抑制片を臨ませた後、その水上側に配置される横葺き外装材の水下側成形部の被押さえ片を、水下側に配置された横葺き外装材の延出片の裏面側に位置させるように取り付けることを特徴とする。
【０００８】
さらに、本発明は、横葺き外装材も提案するものであって、面板部の水下・水上側に相互に係合可能な水下側成形部、水上側成形部を有し、保持部の水下側に負圧抑制片を有する保持部材を用いて敷設される横葺き外装材であって、水上側成形部は、面板部を表面側に折曲し、その隅部又は折曲片に形成した被係合部と、折曲片の上端を折曲基部に向かって折り返した被保持部を有し、さらにその水下側には延出片を有し、水下側成形部は、面板部を裏面側に折曲し、その下端を水上側へ延出させて延出片の裏面側に位置する被押さえ片を有し、さらにその水上側には前記被係合部と係合する係合部を有し、敷設状態において、延出片の裏面側に被押さえ片が位置するように組み合わせ、負圧作用時に保持部材の負圧抑制片が延出片を介して被押さえ片を押さえるように敷設可能であることを特徴とする。
【０００９】
【発明の実施の形態】
本発明の横葺き外装構造は、前述のように面板部２の水下・水上側に相互に係合可能な水下側成形部３、水上側成形部４を有する横葺き外装材（以下、単に外装材という）１を保持部材５を用いて敷設する横葺き外装構造であって、負圧作用時に外装材１が持ち上げられると、保持部材５の負圧抑制片５４が水上側成形部４に形成した延出片４３を介して水下側成形部４に形成した被押さえ片３２を押さえる構成である。
【００１０】
本発明に用いる外装材１の水上側成形部４は、基本構成として面板部２の水上側の端縁を表面側に折曲し、その隅部又は折曲片（以下、上向き折曲片という）４４に形成した被係合部４１と、上向き折曲片４４の上端を折曲基部に向かって折り返した被保持部４２と、その水下側に形成した延出片４３とを有する構成である。
被係合部４１は、面板部２の端縁を折り返した隅部であっても良いし、図１に示す実施例のように断面円弧状（溝状）に形成しても良い。また、上向き折曲片４４は、直立状でも良いし、図１に示す実施例のように水下側へ傾斜状であっても良く、或いは複数の傾斜片からなるものでも良い。
さらに、被保持部４２は、後述する保持部材５の保持部５１に保持される部分であって、図１に示す実施例のように水下側へ傾斜状であっても良く、特に形状を限定するものではない。
また、延出片４３は、負圧作用時に保持部材５の負圧抑制片５４が当接してずれ動かない谷状が望ましく、図１に示す実施例のように水下側へ延出して下向き傾斜し、なだらかに屈曲され、さらに上向き傾斜する略Ｕ字状（断面が下方に突出する略円弧状）に形成しても良い。当接した状態でずれ動くと摩擦で延出片４３が損傷する虞があるからである。尚、この延出片４３は、負圧作用時に外装材１が持ち上がることにより、保持部材５の負圧抑制片５４が当接し、その裏面側に位置する被押さえ片３２と当接して押さえるものであるが、図１に示す実施例では、この延出片４３の略中央部分は負圧が作用していない敷設状態においても裏面側に位置する被押さえ片３２と弾性的に当接している。
【００１１】
本発明に用いる外装材１の水下側成形部３は、基本構成として面板部２の水下側の端縁を裏面側に折曲し、その折曲片（以下、下向き折曲片という）３３の下端を水上側へ延出させて前記延出片４３の裏面側に位置する被押さえ片３２を有し、さらにその水上側には前記被係合部４１と係合する係合部３１を有する構成である。
係合部３１は、前記被係合部４１に係合する部分であって、特に形状を限定するものではない。また、下向き折曲片３３は、図１に示す実施例のように面板部２からさらに水下側へ延出するように折曲されたものでも良いし、垂下状に折曲されたものでも、水上側へ延出するように折曲されたものでも良い。
また、被押さえ片３２は、特に形状を限定するものではなく、平坦状でも谷状でも良いし、図１に示す実施例のようになだらかな山状（断面が上方に突出する略円弧状）に形成しても良い。尚、図１に示す実施例では、この被押さえ片３２は負圧が作用していない敷設状態においても前記延出片４３の略中央部分と弾性的に当接している。
【００１２】
このような構成を有する外装材１は、素材を特に限定するものではないが、代表的には概ね０．４乃至１．６ｍｍ程度の表面化粧鋼板、ラミネート鋼板、メッキ鋼板、ステンレス鋼板、アルミ合金板、チタン合金板、銅板等の公知の金属素材をロール成形その他の手段で所定の形状に成形する。尚、硬質樹脂板や炭素繊維積層板等によっても同様の形状に成形することができ、全てをそれらで施工することもできるし、前記金属素材のものと組み合わせて施工することもできる。また、外装材１の裏面には、結露防止、防音、防火対策上の理由により、必要に応じてポリエチレンフォーム、グラスウールシート等の裏貼り材を添装しても良い。図示実施例では裏貼り材は点線で符号１０で表した。また、この裏貼り材１０は、保持部材５の負圧抑制片５４の先端が負圧の作用で水上側成形部４の延出片４３に直接的に繰り返し衝突（当接）することを防止し、亀裂や穿孔の発生を防止することにも貢献する。
【００１３】
本発明に用いる保持部材５は、固定部５２と、傾斜部５３と、外装材１を保持する保持部５１と、該保持部５１の水下側に、延出片４３上に近接状（非接触状）に臨む負圧抑制片５４を有する構成である。
負圧抑制片５４は、垂下状でも下向き傾斜状でも良く、図１に示す実施例のように保持部５１から分岐するように下向きの負圧抑制片５４を設けても良いし、図２に示す実施例のように保持部５１の下端を屈曲して保持部５１から連続するように下向き傾斜状の負圧抑制片５４としても良い。尚、この負圧抑制片５４は、負圧作用時に延出片４３に当接するので、その当接の繰り返しによる亀裂や穿孔の発生を防止する目的で、負圧抑制片５４の下端を折返し状に丸く成形したり、延出片４３の当接部分の形状と一致する形状に成形することにより、当接面積が大きくなるようにしても良いし、延出片４３との当接部分に弾性樹脂塗料を塗布することにより、金属材料同士の当接を阻止するようにしても良い。
【００１４】
図１に示す横葺き外装構造は、前記構成の外装材１を前記構成の保持部材５を用いて敷設するものであって、その施工手順を図２（ａ）〜（ｃ）を用いて以下に説明する。
まず、図２（ａ）に示すように水下側に配置された外装材１の水上側成形部４の被保持部４２を保持部５１で保持するように保持部材５を固定する（固定具５２１）。
次に、図２（ｂ）に示すように水上側に配置される外装材１の水下側成形部３を水下側から水上側へ向かってスライドするように移動するが、水下側成形部３の被押さえ片３２によって、延出片４３を弾性に抗して押し上げる。
そして、図２（ｃ）に示すように水上側に配置される外装材１の係合部３１を、水下側に配置された外装材１の被係合部４１に係合させると、この敷設状態において、延出片４３は弾性により少し戻るが、弾性的に被押さえ片３２に当接する。
このような手順で水下側から水上側へ順次外装材１を敷設することにより、横葺き外装構造を施工することができる。
【００１５】
このように施工された本発明の横葺き外装構造は、図１（ｂ）に示すように負圧作用時に外装材１が持ち上げられると、保持部材５の負圧抑制片５４が延出片４３を介して被押さえ片３２を押さえるので、負圧抑制が図られ、水下側成形部３の抜け止め等の効果が果たされる。また、延出片４３は、保持部材５の下向きの負圧抑制片５４が直接的に被押さえ片３２（水下側成形部３）と接触することを防止するカバー材の効果も果たす。そして、仮に延出片４３に損傷が生じたとしてもその延出片４３の損傷は被保持部４２の水下側に位置しているため、保持部材５による被保持部４２の保持に影響を与えることがなく、漏水や連結不良を生ずる虞も無く、強固に且つ確実に連結されて取り付けられるものとなる。
【００１６】
また、優れた負圧強度を有するばかりでなく、図３（ａ）に示すように優れた正圧強度を有するものである。
吹き付け風等により正圧荷重が作用した場合、図３（ａ）に示すように○で囲った部分にて保持部材５の保持部５１や水上側成形部４がその上方の外装材１を支える。即ち正圧荷重により外装材１が押されても、水下側の外装材１の水上側成形部４や保持部材５の保持部５１が支えとなるため正圧強度に優れたものとなる。
【００１７】
また、図示実施例では、水上側成形部４の延出片４３を、断面が下方に突出する略円弧状に成形し、水下側成形部３の被押さえ片３２を、断面が上方に突出する略円弧状に成形したので、負圧作用時に負圧抑制片５４にて押さえ付けられた際に延出片４３と被押さえ片３２とが面接触し、被押さえ片３２を損傷することがない。
【００１８】
また、図示実施例では、前述のように延出片４３の略中央部分と被押さえ片３２とが相互に弾性的に当接しており、具体的には図３（ｂ）に示す構成となっている。
即ち延出片４３の下向き傾斜角度は敷設状態における角度α１よりも大きく成形され、敷設状態では被押さえ片３２との弾性的な当接により、小さい角度α１となるように敷設されているので、当接箇所に弾性反発力が常時作用する。また、被押さえ片３２の上向き傾斜角度は敷設状態における角度α２よりも大きく成形され、敷設状態では延出片４３との弾性的な当接により、小さい角度α２となるように敷設されているので、当接箇所に弾性反発力が常時作用する。
尚、このような弾性的当接は、上述のように二つの角度を調整するものに限定されるものではなく、何れか一方のみを調整するようにしても良い。また、弾性的に当接させるための構成についても、外装材１の各部位の折曲又は屈曲部分の角度調整やその組み合わせによって弾性的に当接させるようにしても良い。
このような弾性的当接により、係合効果がもたらされ、抜け止めに寄与する。
【００１９】
さらに、図示実施例では、図３（ｂ）に示すように、係合部３１を下方へ折り返した折返し片状の第２当接部３５を形成し、この第２当接部３５の下向き傾斜角度を敷設状態における角度α３よりも大きく成形した。そして、敷設状態では面板部２との弾性的な当接により、小さい角度α３となるように敷設されているので、当接箇所に弾性反発力が常時作用する。
尚、このように下向き傾斜する第２当接部３５を備え、敷設状態において第２当接部３５と面板部２とが弾性的に当接するような構成としては、上述の下向き傾斜角度を調整するものに限定されるものではなく、外装材１の各部位の折曲又は屈曲部分の角度調整やその組み合わせによってどのように弾性的に当接させるようにしても良い。
このような弾性的当接により、連結部分への雨水の導入口を弾性的に封鎖し、雨仕舞性に効果を発揮し、さらに部位が近接する係合部３１と被係合部４１との係合と相俟って強固な接合（当接）が果たされる。
【００２０】
また、図示実施例では、図３（ｂ）に示すように、係合部３１と被係合部４１とは係合するばかりでなく弾性的に当接しており、係合部３１は第３当接部３６であり、被係合部４１は第３被当接部４７である。そして、この第３当接部３６の外幅は敷設状態における外幅ｒ１、即ち第３被当接部４７の内幅よりも大きく成形され、敷設状態では第３被当接部４７との弾性的な当接により、押し狭められるように敷設されているので、当接箇所に弾性反発力が常時作用する。
尚、このように第３被当接部４７を溝状に、第３当接部３６を突状に形成して弾性的に当接するような構成としては、第３被当接部４７を第３当接部３６に対して小さく成形するか、第３当接部３６を第３被当接部４７に対して大きくすることで弾性的に当接させることができる。或いは他の箇所の角度（弾性力の付与次第）を調整することにより弾性的に当接させることもできる。例えば第４当接部３７と下向き折曲片３３の角度を小さくすると、延出片の先端に設けられた第３当接部３６が上方に持ち上がって第３被当接部４７に弾性的に当接させることができ、第２当接部３５の下向き傾斜角度を大きくすると、それに近接する第３当接部３６が上方に持ち上がって第３被当接部４７に弾性的に当接させることができ、それらを組み合わせて弾性的に当接させるようにしても良い。
このような弾性的当接により、被係合部４１と係合部３１の係合状態が弾性でより確実になるので、特に強固な接合が果たされる。
【００２１】
さらに、図示実施例では、図３（ｂ）に示すように、下向き折曲片３３の下端を水上側へ延出した被押さえ片３１の基端に、面状の第４当接部３７を形成した構成であり、この第４当接部３７と下向き折曲片３３の角度は、敷設状態における角度α４よりも小さく成形され、敷設状態では面板部２との弾性的な当接により、大きい角度α４となるように敷設されているので、当接箇所に弾性反発力が常時作用する。
尚、このように第４当接部３７を面板部２に弾性的に当接させる構成としては、上述の態様に限定されるものではなく、面板部２と下向き傾斜片３３との角度を敷設状態における角度よりも小さくする態様でも良い。
このような弾性的当接により、連結部分への雨水の導入口を弾性的に封鎖し、特に雨仕舞性に高い効果を発揮する。さらに、被押さえ片３２の持ち上がりを阻止する弾性的当接又は第３当接部３６での弾性的当接と相俟って強固な接合（当接）が果たされる。
【００２２】
そして、それぞれが相俟って、図３（ｃ）中Ａ〜Ｃで示す独立した空間が形成され、等圧理論に近似する構成となり、雨仕舞性に優れたものとなる。
このような弾性的当接は、前記態様のうち少なくとも２つを適宜に選択適用することにより、強固に且つ確実に連結されて取り付けられるものとなる。そして、がたつきなどが無く、高い防水性、連結強度を有するものとなる。
【００２３】
図４に示す実施例では、保持部５１の下端を屈曲して保持部５１から連続するように下向き傾斜状の負圧抑制片５４を保持部材５を用いた以外は、前記図１の実施例とほぼ同様であるから図面に同一符号を付して説明を省略する。
【００２４】
図５には、外装材１の水上側成形部４、水下側成形部３、及び保持部材５のバリエーションの一部を示す。尚、図５（ｂ）を除く各例は、前記図１の実施例や図４の実施例と同様に負圧作用時以外にも常時延出片４３と被押さえ片３２とが弾性的に当接している。
図５（ａ）は、保持部材５の負圧抑制片５４を延出片４３の当接部分の形状と一致する形状に成形したものであり、負圧作用時に延出片４３と面接触するものであり、当接の繰り返しによる亀裂や穿孔の発生を防止することができる。
図５（ｂ）は、水下側成形部４の被押さえ片３２を平坦状に成形した例であって、このように被押さえ片３２はどのような形状であっても良い。
図５（ｃ）は、水上側成形部４の延出片４３が折返し状に成形された例であって、延出片４３と被押さえ片３２とが面接触状に弾性的に当接している。
また、図５（ｄ）は、水上側成形部４の被係合部４１が隅部状に成形された例である。
【００２５】
以上本発明を図面の実施の形態に基づいて説明したが、本発明は前記実施の形態に限定されるものではなく、特許請求の範囲に記載の構成を変更しない限りどのようにでも実施することができる。
【００２６】
【発明の効果】
以上要するに本発明の横葺き外装構造は、負圧作用時に外装材が持ち上げられると、保持部材の負圧抑制片が延出片を介して被押さえ片を押さえるので、負圧強度が高く、水下側成形部の抜け止め等の効果が果たされる。また、延出片は、保持部材の負圧抑制片が直接的に被押さえ片（水下側成形部）と接触することを防止するカバー材の効果も果たす。仮に延出片に損傷が生じたとしてもその延出片の損傷は被保持部の水下側に位置しているため、保持部材による保持に影響を与えることがなく、漏水や連結不良を生ずる虞も無い。したがって、継続的に、強固に且つ確実に連結されて取り付けられるものとなる。
【００２７】
また、水上側成形部の延出片を断面が下方に突出する略円弧状に成形し、水下側成形部の被押さえ片を断面が上方に突出する略円弧状に成形した場合、負圧作用時に負圧抑制片にて押さえ付けられた際に延出片と被押さえ片との接触部分が面状となって被押さえ片を損傷することがない。
【００２８】
さらに、延出片と被押さえ片とを、負圧作用時以外の敷設状態においても弾性的に当接しているようにすると、特に係合、抜け止めに高い効果を発揮する。
【００２９】
また、本発明の横葺き外装構造の施工方法は、外装材を水下側から水上側へ順に取り付けていくものであって、前述のように負圧強度に高い構造が得られるので、施工途中にて吹き上げ風が作用した場合などに重大な落下事故を起こすことがなく、作業を安全に実施することができる。
【００３０】
また、本発明の横葺き外装材は、保持部の水下側に負圧抑制片を有する保持部材と併用することにより、前述の負圧強度に優れた外装構造を施工することができるものである。
【図面の簡単な説明】
【図１】（ａ）本発明の横葺き外装構造の一実施例を示す側断面図、（ｂ）裏貼り材を欠載した要部拡大図である。
【図２】（ａ）〜（ｃ）図１の横葺き外装構造の施工手順を示す拡大側断面図である。
【図３】（ａ）図１の横葺き外装構造の雨仕舞性を示す拡大側断面図、（ｂ）正圧耐性を示す拡大側断面図、（ｃ）負圧耐性を示す拡大側断面図である。
【図４】（ａ）本発明の横葺き外装構造の他の一実施例を示す側断面図、（ｂ）裏貼り材を欠載した要部拡大図である。
【図５】外装材の水上側成形部、水下側成形部、及びその組み合わせのバリエーションの一部を示す側断面図である。
【符号の説明】
１  （横葺き）外装材
２  面板部
３  水下側成形部
３１  係合部
３２  被押さえ片
４  水上側成形部
４１  被係合部
４２  被保持部
４３  延出片
５  保持部材
５１  保持部
５４  負圧抑制片
【図１】
2004263392.tif 000003
【図２】
2004263392.tif 000004
【図３】
2004263392.tif 000005
【図４】
2004263392.tif 000006
【図５】
2004263392.tif 000007